(57)【要約】【課題】開封が容易であって、不可抗力により開封する虞がなくて、手指等を傷付ける虞もなく、開封口が美麗な包装袋を安価に提供することにある。【解決手段】内層に易剥離性の熱接着性樹脂層を有する積層体からなり、該積層体の前記熱接着性樹脂層同士を対向させて端縁熱接着部で密封した包装袋において、前記端縁熱接着部を形成する少なくとも一方の積層体は一軸延伸フィルム層を有し、前記一軸延伸フィルム層の延伸方向と直交する前記端縁熱接着部に前記端縁熱接着部で周囲を閉ざされた未接着部を設け、該未接着部に前記一方の積層体を貫通すると共にその凸部が前記端縁熱接着部の前記一軸延伸フィルム層の延伸方向と直交する端縁に向く２つの自由端を有する切線を設けてなることを特徴とする包装袋。【選択図】　　　　図１
2004001861.tif 000002
【特許請求の範囲】
【請求項１】
内層に易剥離性の熱接着性樹脂層を有する積層体からなり、該積層体の前記熱接着性樹脂層同士を対向させて端縁熱接着部で密封した包装袋において、前記端縁熱接着部を形成する少なくとも一方の積層体は一軸延伸フィルム層を有し、前記一軸延伸フィルム層の延伸方向と直交する前記端縁熱接着部に前記端縁熱接着部で周囲を閉ざされた未接着部を設け、該未接着部に前記一方の積層体を貫通すると共にその凸部が前記端縁熱接着部の前記一軸延伸フィルム層の延伸方向と直交する端縁に向く２つの自由端を有する切線を設けてなることを特徴とする包装袋。
【請求項２】
請求項１記載の包装袋において、両側部にＶ字状に折込まれた折込部を有し、少なくとも該折込部の外側端部および上下端部を前記端縁熱接着部で密封すると共に前記折込部の外側端部に設けた前記端縁熱接着部に前記未接着部と前記切線を設けたガセット袋であることを特徴とする包装袋。
【請求項３】
内層に易剥離性の熱接着性樹脂層と一軸延伸フィルム層とを少なくとも備えた矩形状の積層体からなり、該矩形状の積層体の対向する端縁を前記内層同士を対向させて重ね合わせて熱接着することにより前記一軸延伸フィルム層の延伸方向と直交するように設けた合掌貼りした背部端縁熱接着部と上下部端縁熱接着部で密封したピロータイプ包装袋において、該ピロータイプ包装袋の折曲部からなる端部に前記上下部端縁熱接着部の内縁から突出する突出熱接着部を少なくとも一箇所設けると共に前記突出熱接着部に前記突出熱接着部で周囲を閉ざされた未接着部を設け、該未接着部に前記背部端縁熱接着部のある裏面と対向する表面を形成する前記積層体を貫通すると共にその凸部が前記折曲部に向く２つの自由端を有する切線を設けてなることを特徴とするピロータイプ包装袋。
【発明の詳細な説明】
【０００１】
【発明の属する技術分野】
本発明は、開封が容易であって、開封口が美麗な包装袋に関し、さらに詳しくは、意識して開封操作をしない限りにおいては、不可抗力等で開封されない包装袋に関するものである。
【０００２】
【従来の技術】
従来、食品等の内容物を収容した包装袋は、鋏やナイフ等を用いなくとも容易に包装袋を開封して食品等の内容物を取出すことができるように、予め包装袋の熱接着部の端縁にＩノッチやＶ字状等の切欠からなる易開封手段が設けられ、この易開封手段を用いて包装袋を開封するように構成されている。
【０００３】
しかし、▲１▼上記したＩノッチやＶ字状等の切欠からなる易開封手段は、包装袋を取扱う際等に不可抗力により外力が前記易開封手段に加わり、前記易開封手段から開封されてしまう虞があるといった問題、あるいは、包装袋が剛性を有する場合には前記易開封手段で手指等を傷付ける虞があるといった問題があった。
【０００４】
上記▲１▼問題を解決するものとして、ＩノッチやＶ字状等の切欠からなる易開封手段に代えて特公昭６１−３９２２８号公報に開示されているような傷痕群からなる易開封手段が開発された。しかし、▲２▼この傷痕群からなる易開封手段も上記したＩノッチやＶ字状等の切欠からなる易開封手段と同様にこれらの易開封手段は易開封手段を開封開始端として開封予定線に沿って包装袋の表面と裏面を構成する包装材を同時に開封するために、包装材の構成等によっては、表面と裏面を構成する包装材が開封予定線に沿って一直線状に開封しないために開封口が汚いといった問題、あるいは、包装袋開封時に食品等の内容物が零れ出ることを防止する目的、また、スティック状の食品等の内容物においては包装袋開封時に折れることを防止する目的で通常食品等の内容物が包装袋の前記開封予定線の部分には存在しないように包装袋は設計され、その結果として包装袋に必要悪的なデッドスペースが形成されることになるためにそれだけ包装袋のコストがアップするといった問題があった。
【０００５】
上記▲２▼問題を解決するものとして、ティアテープを取付けた包装袋が提案されているが、これについてもティアテープが別途必要になり、それだけコストの高い包装袋になるといった問題があった。
【０００６】
【発明が解決しようとする課題】
そこで本発明は、上記問題を解決するためになしたものであって、その目的とするところは、開封が容易であって、不可抗力により開封する虞がなくて、手指等を傷付ける虞もなく、開封口が美麗な包装袋を安価に提供することにある。
【０００７】
【課題を解決するための手段】
本発明者は、上記目的を達成するために、請求項１記載の本発明は、内層に易剥離性の熱接着性樹脂層を有する積層体からなり、該積層体の前記熱接着性樹脂層同士を対向させて端縁熱接着部で密封した包装袋において、前記端縁熱接着部を形成する少なくとも一方の積層体は一軸延伸フィルム層を有し、前記一軸延伸フィルム層の延伸方向と直交する前記端縁熱接着部に前記端縁熱接着部で周囲を閉ざされた未接着部を設け、該未接着部に前記一方の積層体を貫通すると共にその凸部が前記端縁熱接着部の前記一軸延伸フィルム層の延伸方向と直交する端縁に向く２つの自由端を有する切線を設けてなることを特徴とするものである。
【０００８】
また、請求項２記載の本発明は、請求項１記載の包装袋において、両側部にＶ字状に折込まれた折込部を有し、少なくとも該折込部の外側端部および上下端部を前記端縁熱接着部で密封すると共に前記折込部の外側端部に設けた前記端縁熱接着部に前記未接着部と前記切線を設けたガセット袋であることを特徴とするものである。
【０００９】
また、請求項３記載の本発明は、内層に易剥離性の熱接着性樹脂層と一軸延伸フィルム層とを少なくとも備えた矩形状の積層体からなり、該矩形状の積層体の対向する端縁を前記内層同士を対向させて重ね合わせて熱接着することにより前記一軸延伸フィルム層の延伸方向と直交するように設けた合掌貼りした背部端縁熱接着部と上下部端縁熱接着部で密封したピロータイプ包装袋において、該ピロータイプ包装袋の折曲部からなる端部に前記上下部端縁熱接着部の内縁から突出する突出熱接着部を少なくとも一箇所設けると共に前記突出熱接着部に前記突出熱接着部で周囲を閉ざされた未接着部を設け、該未接着部に前記背部端縁熱接着部のある裏面と対向する表面を形成する前記積層体を貫通すると共にその凸部が前記折曲部に向く２つの自由端を有する切線を設けてなることを特徴とするものである。
【００１０】
請求項１〜３のいずれかに記載の構成とすることにより、開封が容易であって、不可抗力により開封する虞がなくて、手指等を傷付ける虞もなく、また、開封口が美麗であると共にデッドスペースが少なくそれだけ安価な包装袋とすることができる。また、請求項３記載の構成において、たとえば、前記未接着部と前記切線を前記折込部側の前記端縁熱接着部に設けることにより、ガセット袋の折込部を容易に開封することができると共に適度な大きさの開口を得ることができるために、挟み等の道具を使うことなく内容物を零すことなくスムーズに取出すことができる（従来、ガセット袋の開封は挟み等の道具を用いるなり、あるいは、上端部の端縁熱接着部に設けられたＩ字やＶ字形状の切欠を用いるなりしていたが、挟み等による開封は結構手間であり、また、切欠を用いた開封は、開封線が一定でないために内容物を開封時に零すことがあった）。
【００１１】
【発明の実施の形態】
上記の本発明について、図面等を用いて以下に詳述する。
図１は本発明にかかる包装袋の第１実施形態を示す平面図、図２は図１の要部拡大図、図３は図２のＸ−Ｘ線の模式的断面図、図４は図１に示す第１実施形態の包装袋の開封状態を説明する図、図５は本発明にかかる包装袋の第２実施形態を示す裏面図、図６は図５に示す第２実施形態の包装袋の開封状態を説明する図、図７は本発明にかかる包装袋の第３実施形態を示す正面図、図８は本発明にかかる包装袋の第４実施形態を示す斜視図、図９は図８に示す第４実施形態の包装袋の開封状態を説明する図であり、図中のＡ、Ｂ、Ｃ、Ｄは包装袋、１，１’，２，２’，３，４，４’，７，８，８’は端縁熱接着部、５は突出熱接着部、６は折込部、１０は未接着部、１１は切線、α，β，γは積層体をそれぞれ示す。
【００１２】
図１は本発明にかかる包装袋の第１実施形態を示す平面図、図２は図１の要部拡大図、図３は図２のＸ−Ｘ線の模式的断面図であって、包装袋Ａは内層に易剥離性の熱接着性樹脂層と一軸延伸フィルム層とを少なくとも備えた矩形状の積層体α、αからなり、該積層体α、αの前記一軸延伸フィルム層の延伸方向が一致するように前記内層同士を対向させて４つの端縁を端縁熱接着部１、１’、２、２’で密封した四方シールタイプの包装袋であって、前記一軸延伸フィルム層の延伸方向と直交する前記端縁熱接着部１、１’の一方の前記端縁熱接着部１に前記端縁熱接着部１で周囲を閉ざされた未接着部１０を設け、該未接着部１０に前記積層体α、αの一方の積層体α（図１上、紙面の上側の積層体α）を貫通すると共にその凸部が前記端縁熱接着部１の端縁に向く２つの自由端を有する略Ｕ字状切線１１を設けたものである。
【００１３】
このように構成することにより、略Ｕ字状切線１１を設けた部分が摘み部となり、この摘み部を手指で摘んで前記端縁熱接着部１’側へ引張ると最初に内縁側の前記端縁熱接着部１が剥離し、さらに続けて引張ると図４に示すように前記一方の積層体α（図４上、紙面の上側の積層体α）が前記略Ｕ字状切線１１の２つの自由端間の幅で開封予定線（図示せず）に沿って切断されて包装袋Ａは開封される。このように前記略Ｕ字状切線１１により形成された摘み部を手指で摘んで引張ることにより容易に開封することができ、また、前記端縁熱接着部１内に前記略Ｕ字状切線１１により摘み部が形成されているために、従来技術の項で説明したＩノッチやＶ字状等の切欠の場合に発生する虞のあった不可抗力による包装袋の開封を防止することができると共に手指等を傷付ける虞もなく、また、一軸延伸フィルム層が設けられていることにより直線状に切断されるために美麗な開封口を得ることができ、さらにまた、包装袋を構成する前記一方の積層体α（図４上、紙面の上側の積層体α）のみ切断して開封するために、たとえば、スティック状の食品等の内容物が開封予定線の部分に存在しても包装袋開封時に折ることなく開封することができ、従来技術の項で説明したようなデッドスペースを不要とすることができるために、それだけ安価な包装袋とすることができる。なお、第１実施形態の包装袋Ａの説明においては、前記積層体α、αをいずれも一軸延伸フィルム層を備えた構成として説明したが、前記略Ｕ字状切線１１を設ける前記一方の積層体αのみ一軸延伸フィルム層を備えた構成としてもよいのであって、このように構成することにより一層安価な包装袋とすることができる。
【００１４】
図５は本発明にかかる包装袋の第２実施形態を示す裏面図であって、包装袋Ｂは内層に易剥離性の熱接着性樹脂層と一軸延伸フィルム層とを少なくとも備えた矩形状の積層体βからなり、該積層体βの対向する端縁を前記内層同士を対向させて重ね合わせて熱接着することにより前記一軸延伸フィルム層の延伸方向と直交するように設けた合掌貼りした背部端縁熱接着部３と上下部端縁熱接着部４、４’で密封したピロータイプ包装袋であって、前記背部端縁熱接着部３に前記背部端縁熱接着部３で周囲を閉ざされた未接着部１０を設け、該未接着部１０に前記背部端縁熱接着部３を構成する前記積層体βの一方を貫通すると共にその凸部が前記背部端縁熱接着部３の端縁に向く２つの自由端を有する略Ｕ字状切線１１を設けたものである。このように構成することにより、第１実施形態で説明したように略Ｕ字状切線１１により形成された摘み部を手指で摘んで図５上で右側へ引張ると最初に内縁側の前記背部端縁熱接着部３が剥離し、さらに続けて引張ると図６に示すように前記積層体βが前記略Ｕ字状切線１１の２つの自由端間の幅で切断されて開封予定線（図示せず）に沿って包装袋Ｂは開封され、さらに続けて引張ると最終的には前記上部端縁熱接着部４のある部分と前記下部端縁接着部４’のある部分が開封予定線（図示せず）で完全に分離される。
【００１５】
図７は本発明にかかる包装袋の第３実施形態を示す正面図であって、包装袋Ｃは内層に易剥離性の熱接着性樹脂層と一軸延伸フィルム層とを少なくとも備えた矩形状の積層体βからなり、該積層体βの対向する端縁を前記内層同士を対向させて重ね合わせて熱接着することにより前記一軸延伸フィルム層の延伸方向と直交するように設けた合掌貼りした背部端縁熱接着部３と上下部端縁熱接着部４、４’で密封したピロータイプ包装袋であって、該ピロータイプ包装袋の折曲部からなる一方の端部（図７上、左側の端部）に前記上部端縁熱接着部４の内縁から突出する突出熱接着部５を設けると共に前記突出熱接着部５に前記突出熱接着部５で周囲を閉ざされた未接着部１０を設け、該未接着部１０に前記背部端縁熱接着部３のある裏面と対向する表面を形成する前記積層体βを貫通すると共にその凸部が前記一方の端部（図７上、左側の端部）に向く２つの自由端を有する略Ｕ字状切線１１を設けたものである。このように構成することにより、第１実施形態で説明したと同様に略Ｕ字状切線１１により形成された摘み部を手指で摘んで図７上で右側に引張ることにより、容易に包装体Ｃを開封することができる。また、第２実施形態で説明した包装袋Ｂと比べてより開封を容易なものとすることができる。
【００１６】
図８は本発明にかかる包装袋の第４実施形態を示す斜視図であって、包装袋Ｄは内層に易剥離性の熱接着性樹脂層と一軸延伸フィルム層とを少なくとも備えた矩形状の積層体γからなり、２枚の同寸法の積層体γを前記内層同士を対向させて四周縁が一致するように重ね合わせると共に対向する前記内層間に前記内層を外側にして略Ｖ字状に折込まれた別途用意された前記積層体γを外側端縁が一致するように挿入し、四周縁部を熱接着することにより側部に折込部６と該折込部６の外側端部に前記一軸延伸フィルム層の延伸方向と直交するように設けた側部端縁熱接着部７および該側部端縁熱接着部７と直交する方向の上下部端縁熱接着部８、８’で密封した４つの側端に側部端縁熱接着部７を有する、いわゆる４ピラータイプのガセット袋であって、図８上は一つの前記側部端縁熱接着部７に前記側部端縁熱接着部７で周囲を閉ざされた未接着部１０を設け、該未接着部１０に前記側部端縁熱接着部７を構成する折込部６を形成した前記積層体γを貫通すると共にその凸部が前記側部端縁熱接着部７の端縁に向く２つの自由端を有する略Ｕ字状切線１１を設けたものである。このように構成することにより、第１実施形態で説明したように略Ｕ字状切線１１により形成された摘み部を手指で摘んで前記折込部６の先端側へ引張ると最初に内縁側の前記側部端縁熱接着部７が剥離し、さらに続けて引張ると図９に示すように前記折込部６を形成した前記積層体γが前記略Ｕ字状切線１１の２つの自由端間の幅で切断されて開封予定線（図示せず）に沿って包装袋Ｄの前記折込部６が開封される。この状態で開封された前記折込部６を形成した前記積層体γを手指で摘んで外側に引出すことにより図示はしないが略四角形の開口部を得ることができ、内容物を容易に取出すことができる。
【００１７】
なお、図８においては前記未接着部１０と前記略Ｕ字状切線１１を一方の前記折込部６の前記側部端縁熱接着部７に設けたが、他方の折込部６の側部端縁熱接着部７にも設け、開封の利便性を向上させてもよいものである。また、前記折込部６ではなくて、第１実施形態のように表面と裏面を構成する前記積層体γを開封するように構成して大きな開口を得るようにしてもよいものである。また、包装袋Ｄのコストをより安価なものとするために前記一軸延伸フィルム層は前記略Ｕ字状切線１１を設ける積層体γにのみ設けてもよいものである。さらにまた、包装袋Ｄは、説明においては４ピースの積層体γから構成した例を説明したが、１ピースの積層体から構成してもよいものである。
【００１８】
次に、本発明の包装袋を構成する積層体α、β、γについて説明する。積層体α、β、γは内層に易剥離性の熱接着性樹脂層（以下、ＥＰフィルムと呼称する）と一軸延伸フィルム層とを少なくとも備えた構成であれば特に限定するものではなく、具体的に例示するならば、一軸延伸ポリエチレンテレフタレートフィルム１２μｍ／ＥＰフィルム５０μｍ、一軸延伸ポリエチレンテレフタレートフィルム１２μｍ／無機物の蒸着層を有する２軸延伸ポリエチレンテレフタレートフィルム１２μｍ／ＥＰフィルム３０μｍ、２軸延伸ポリエチレンテレフタレートフィルム１２μｍ／一軸延伸ポリプロピレンフィルム２０μｍ／ＥＰフィルム４０μｍ、２軸延伸ポリエチレンテレフタレートフィルム１２μｍ／一軸延伸ポリエチレンフィルム２５μｍ／ＥＰフィルム３０μｍ等を挙げることができ、ＥＰフィルムとしては、たとえば、東セロ（株）製：ＴＡＦ−６５０ＣやＣＭＰＳ−０１３Ｃ、あるいは、和田化学工業（株）製：ＶＭＸ−ＸＢ１０ＦＴなどの積層体を用いることができる。積層方法としては、ドライラミネーション法やサンドラミネーション法等の周知の積層方法を用いることができる。
【００１９】
なお、上記に示した実施形態は、本発明の包装袋の代表的なものを示したものであって、これに限るものではなく、たとえば、第１実施形態は、三方シールタイプやスタンディングタイプの包装袋に好適に用いることができるし、また、第２、第３実施形態は、合掌貼りした背シール部を有する通常のガセットタイプの包装袋に好適に用いることができ、また、切線についても略Ｕ字状に限ることはなく、たとえば、コの字状、あるいは、Ｖ字状等の多角形状の切線であってもよいものであり、要するに本発明の趣旨を逸脱しない範疇のものはすべて本発明に含まれることは当然のことである。
【００２０】
【発明の効果】
本発明の包装袋は、今まで縷々説明してきたように、開封が容易であると共に開封口が美麗であり、不可抗力により開封する虞や手指等を傷付ける虞がなく、また、デッドスペースを少なくすることができるためにそれだけ安価に提供することができるなど、数々の優れた効果を奏するものである。
【図面の簡単な説明】
【図１】本発明にかかる包装袋の第１実施形態を示す平面図である。
【図２】図１の要部拡大図である。
【図３】図２のＸ−Ｘ線の模式的断面図である。
【図４】図１に示す第１実施形態の包装袋の開封状態を説明する図である。
【図５】本発明にかかる包装袋の第２実施形態を示す裏面図である。
【図６】図５に示す第２実施形態の包装袋の開封状態を説明する図である。
【図７】本発明にかかる包装袋の第３実施形態を示す正面図である。
【図８】本発明にかかる包装袋の第４実施形態を示す斜視図である。
【図９】図８に示す第４実施形態の包装袋の開封状態を説明する図である。
【符号の説明】
Ａ、Ｂ、Ｃ、Ｄ　　　　　　　　　　　　　　　　　　包装袋
１，１’，２，２’，３，４，４’，７，８，８’　　端縁熱接着部５　　　　　　　　　　　　　　　　　　　　　　　　突出熱接着部
６　　　　　　　　　　　　　　　　　　　　　　　　折込部
１０　　　　　　　　　　　　　　　　　　　　　　　未接着部
１１　　　　　　　　　　　　　　　　　　　　　　　切線
α，β，γ　　　　　　　　　　　　　　　　　　　　積層体
【図１】
2004001861.tif 000003
【図２】
2004001861.tif 000004
【図３】
2004001861.tif 000005
【図４】
2004001861.tif 000006
【図５】
2004001861.tif 000007
【図６】
2004001861.tif 000008
【図７】
2004001861.tif 000009
【図８】
2004001861.tif 000010
【図９】
2004001861.tif 000011